【手続補正書】
【提出日】平成20年5月30日(2008.5.30)
【手続補正１】
【補正対象書類名】特許請求の範囲
【補正対象項目名】全文
【補正方法】変更
【補正の内容】
【特許請求の範囲】
【請求項１】
複数の液体収納容器が搭載可能であって、該液体収納容器に備えられるアンテナと非接触で情報の通信が可能な装置側アンテナと、該液体収納容器からの光を受光する受光手段とを有する記録装置に対して着脱可能な液体収納容器において、
前記装置側アンテナと非接触で情報の通信が可能な前記アンテナと、
少なくとも液体収納容器の個体情報を保持可能な情報保持部と、
発光部と、
前記アンテナから入力される個体情報に係る信号と、前記情報保持部の保持する個体情報とに応じて前記発光部の発光を制御する制御部と、
を有することを特徴とする液体収納容器。
【請求項２】
複数の液体収納容器が互いに異なる位置に搭載可能であって、該液体収納容器に備えられるアンテナと非接触で情報の通信が可能な装置側アンテナと、該液体収納容器からの光を受光することによって前記液体収納容器の搭載位置を検出する液体収納容器位置検出手段と、を有する記録装置に対して着脱可能な液体収納容器において、
前記装置側アンテナと非接触で情報の通信が可能な前記アンテナと、
少なくとも液体収納容器の個体情報を保持可能な情報保持部と、
前記位置検出手段に投光するための発光部と、
前記アンテナから入力される前記個体情報に係る信号と、前記情報保持部の保持する個体情報とが一致した場合に前記発光部を発光させる制御部と、
を有することを特徴とする液体収納容器。
【請求項３】
前記液体収納容器にはインクが収納されていることを特徴とする請求項１ないし請求項２のいずれかに記載の液体収納容器。
【請求項４】
複数の液体収納容器が互いに異なる位置に搭載可能であって、該液体収納容器に備えられるアンテナと非接触で情報の通信が可能な装置側アンテナと、該液体収納容器からの光を受光することによって前記液体収納容器の搭載位置を検出する液体収納容器位置検出手段と、
を有する記録装置と、前記記録装置のキャリッジに対して着脱可能な液体収納容器と、を備える液体供給システムにおいて、
前記液体収納容器は、前記装置側アンテナと非接触で情報の通信が可能な前記アンテナと、
少なくとも液体収納容器の個体情報を保持する情報保持部と、
前記位置検出手段に投光するための発光部と、
前記アンテナから入力される前記個体情報に係る信号と、前記情報保持部の保持する個体情報とが一致した場合に前記発光部を発光させる制御部と、
を有することを特徴とする液体供給システム。
【請求項５】
複数の液体収納容器が互いに異なる位置に搭載可能であって、該液体収納容器に備えられるアンテナと非接触で情報の通信が可能な装置側アンテナと、該液体収納容器からの光を受光することによって前記液体収納容器の搭載位置を検出する液体収納容器位置検出手段と、を有する記録装置に対して着脱可能な液体収納容器の製造方法において、
前記装置側アンテナと非接触で情報の通信が可能な前記アンテナと、少なくとも液体収納容器の個体情報を保持する情報保持部と、前記位置検出手段に投光するための発光部と、前記アンテナから入力される前記個体情報に係る信号と前記情報保持部の保持する個体情報とが一致した場合に前記発光部を発光させる制御部と、を有する基板を備えた液体収納容器を用意する工程と、
前記液体収納容器にインクを注入する工程と、
を具えた液体収納容器の製造方法。
【請求項６】
複数の液体収納容器が互いに異なる位置に搭載可能であって、該液体収納容器に備えられるアンテナと非接触で情報の通信が可能な装置側アンテナと、該液体収納容器からの光を受光することによって前記液体収納容器の搭載位置を検出する液体収納容器位置検出手段と、を有する記録装置に対して着脱可能な液体収納容器に備えられる回路基板において、
前記装置側アンテナと非接触で情報の通信が可能な前記アンテナと、
少なくとも液体収納容器の個体情報を保持する情報保持部と、
前記位置検出手段に投光するための発光部に接続される接続部と、
前記アンテナから入力される前記個体情報に係る信号と、前記情報保持部の保持する個体情報とが一致した場合に前記発光部を発光させる制御部と、
を有することを特徴とする回路基板。
【請求項７】
前記発光部は回路基板上に配されることを特徴とする請求項６に記載の回路基板。
【請求項８】
前記回路基板は、少なくとも前記装置側アンテナから受信した高周波信号を復調する復調回路と、前記アンテナから電磁波を発生させる高周波変調回路とを備えることを特徴とする請求項６または７に記載の回路基板。
【請求項９】
前記回路基板は、前記発光部に電源電圧を供給する電源回路とをさらに備えることを特徴とする請求項８に記載の回路基板。
【請求項１０】
前記電源回路は、前記制御部に電圧を供給することを特徴とする請求項９に記載の回路基板。
【請求項１１】
請求項１または請求項２に記載の液体収納容器を搭載可能な記録装置であって、該液体収納容器の発光部からの光を受光する受光部を有することを特徴とする記録装置。
【請求項１２】
前記液体収納容器が搭載可能なキャリッジを有し、該キャリッジは前記受光部と前記発光部とが対向するように移動可能である請求項１１に記載の記録装置。
【請求項１３】
複数の液体収納カートリッジが互いに異なる位置に搭載可能であって、該液体収納容器に備えられるアンテナと非接触で情報の通信が可能な装置側アンテナと、該液体収納容器からの光を受光することによって前記液体収納容器の搭載位置を検出する液体収納容器位置検出手段と、を有する記録装置に対して着脱可能な液体収納カートリッジにおいて、
液体を吐出することで記録を行う記録ヘッドと、
前記装置側アンテナと非接触で情報の通信が可能な前記アンテナと、
少なくとも液体収納容器の個体情報を保持する情報保持部と、
前記位置検出手段に投光するための発光部と、
前記アンテナから入力される前記個体情報に係る信号と、前記情報保持部の保持する個体情報とが一致した場合に前記発光部を発光させる制御部と、
を有することを特徴とする液体収納カートリッジ。
【請求項１４】
複数の液体収納容器が互いに異なる位置に搭載可能であって、該液体収納容器に備えられるアンテナと非接触で情報の通信が可能な装置側アンテナと、該液体収納容器からの光を受光することによって前記液体収納容器の搭載位置を検出する液体収納容器位置検出手段と、を有する記録装置に対して着脱可能な液体収納容器において、
収納容器内に収納されるインクと、
前記装置側アンテナと非接触で情報の通信が可能な前記アンテナと、
収納されるインクに関する情報を保持する情報保持部と、
前記位置検出手段に投光するための発光部と、
前記アンテナから入力される前記インクに関する情報に係る信号と、前記情報保持部の保持するインクに関する情報とが対応した場合に前記発光部を発光させる制御部と、
を有することを特徴とする液体収納容器。
【請求項１５】
前記液体収納容器は前記発光部に電力を供給するコンデンサを有することを特徴とする請求項１ないし請求項２のいずれかに記載の液体収納容器。
【請求項１６】
前記コンデンサは電気二重層コンデンサであることを特徴とする請求項１５に記載の液体収納容器。
【請求項１７】
前記液体収納容器は、少なくとも前記装置側アンテナから受信した高周波信号を復調する復調回路と、前記アンテナから電磁波を発生させる高周波変調回路とを備えることを特徴とする請求項１に記載の液体収納容器。
【請求項１８】
前記液体収納容器は、前記発光部に電力を供給する電源回路を備えることを特徴とする請求項１７に記載の液体収納容器。
【請求項１９】
前記液体収納容器は、前記発光部および前記制御部に電力を供給する電源回路を備えることを特徴とする請求項１７に記載の液体収納容器。
【請求項２０】
前記電源回路は前記発光部に電力を供給する電池であることを特徴とする請求項１８に記載の液体収納容器。
【請求項２１】
前記液体収納容器は前記記録装置から前記発光部に電力を供給するための接点を有することを特徴とする請求項１ないし請求項２のいずれかに記載の液体収納容器。
【手続補正２】
【補正対象書類名】明細書
【補正対象項目名】００４３
【補正方法】変更
【補正の内容】
【００４３】
図１０（ａ）および（ｂ）に示す例は、インクタンク１の内側に向かって位置する基板１００の面に制御素子１０３を配置する一方、第１発光部１０１をアンテナ１０２とともに基板１００の外側に向かって位置する面に設けたものである。この結果、第１発光部１０１が発する光は基板１００の面から外側に向かう方向にも進行するものとなる。
【手続補正３】
【補正対象書類名】明細書
【補正対象項目名】００５２
【補正方法】変更
【補正の内容】
【００５２】
そして第２係合部５の上面が第２係止部１５６の下方に至ると、支持部材３は自身の弾性力によってＱ’方向に変位し、第２係合部５が第２係止部１５６によって係止される。
この状態（図１５（ｃ））では、第２係止部１５５が支持部材３を介してインクタンク１を水平方向に弾性的に付勢し、インクタンク１の背面がホルダ１５０の背面に当接する。
また、インクタンク１上方への変位は、第１係合部５が係合した第１係止部１５５および第２係合部６が係合した第２係止部１５６によって抑制される。これがインクタンク１の装着完了状態であり、このときインク供給口７およびインク導入口１０７、またアンテナ１０２およびアンテナ基板１５２上の本体側アンテナ２２０が近接して対向した状態となる。
【手続補正４】
【補正対象書類名】明細書
【補正対象項目名】００７４
【補正方法】変更
【補正の内容】
【００７４】
図２０に示すように、キャリッジ２０５上には制御回路２０８が搭載されており、制御回路２０８に対する本体側制御回路３００からの信号配線は、例えば４本の信号線からなる。すなわち、制御回路２０８に対する信号配線は、電力供給にかかる電源信号線「ＶＤＤ」およびアース信号線「ＧＮＤ」と、後述されるように、制御回路３００から、ＬＥＤ１０１の点灯、点滅などの処理に関する制御信号（制御データ）などを送るための信号線「ＤＡＴＡ」およびそのクロック信号線「ＣＬＫ」の４本の信号線から構成される。本実施例においては４本の信号線による説明を行うが、本発明はこれに限定されるものでなく、その他、複数の制御信号線が必要になる場合もある。制御回路２０８は主にこれらの「ＤＡＴＡ」および「ＣＬＫ」信号を無線通信するための高周波変調、復調回路から成り、制御回路２０８はアンテナ基板１５２上のループ状のアンテナ２２０と、配線１５９で接続されている。アンテナ２２０からは、例えば短波帯の電磁波を生成し、インクタンク側のアンテナと通信する。制御回路２０８は本実施例ではキャリッジ２０５上に配置されているが、アンテナ基板１５２上に配置されても良い。
【手続補正５】
【補正対象書類名】明細書
【補正対象項目名】００７５
【補正方法】変更
【補正の内容】
【００７５】
一方、各インクタンク１の基板１００には、本体側アンテナ２２０と無線通信するためのアンテナ１０２と、アンテナ１０２から受信した高周波信号を処理、またはアンテナ１０２から高周波信号を送信するための信号処理を行う制御部１０３およびそれによって動作するＬＥＤ１０１が設けられている。
【手続補正６】
【補正対象書類名】明細書
【補正対象項目名】００７６
【補正方法】変更
【補正の内容】
【００７６】
図２１はこれら制御部などが設けられた基板の詳細を示す回路図である。同図に示すように、制御部１０３は、入出力制御回路（Ｉ／Ｏ  ＣＴＲＬ）１０３Ａ、メモリーアレイ１０３ＢおよびＬＥＤドライバ１０３Ｃ、高周波変調／復調回路、電源回路１０３Ｅを有して構成される。高周波変調／復調回路、電源回路１０３Ｅを構成する復調回路は本体側のアンテナ２２０から受信した高周波信号を復調し、「ＤＡＴＡ」、及び「ＣＬＫ」信号を得る。また、電源回路は入出力制御回路（Ｉ／Ｏ  ＣＴＲＬ）１０３Ａ、メモリーアレイ１０３Ｂ、ＬＥＤドライバ１０３Ｃ、及びＬＥＤ１０１に電力を供給するために、入力した電磁波から電源を生成する。また、変調回路はメモリアレイ１０３Ｂからの情報を本体側に送信するために信号を高周波に変調し、アンテナ１０２から電磁波を発生させる。
【手続補正７】
【補正対象書類名】明細書
【補正対象項目名】００８１
【補正方法】変更
【補正の内容】
【００８１】
図２３に示すように、メモリーアレイ１０３Ｂへの書き込みでは、本体側の制御回路３００からアンテナ２２０、１０２を介し、インクタンク１の制御部１０３における入出力制御回路１０３Ａに対し、信号「ＤＡＴＡ」（図２０）を介して「開始コード＋色情報」、「制御コード」、「アドレスコード」、「データコード」の各データ信号が、クロック信号ＣＬＫに同期してこの順で送られてくる。「開始コード＋色情報」は、その「開始コード」信号によって、一連のデータ信号の始まりを意味し、また、「色情報」信号によってこの一連のデータ信号の対象となっているインクタンクを特定する。なお、ここでのインクの「色」とはＹ、Ｍ、Ｃ等のインク色だけでなく濃度の異なるインクをも含むものである。